(57)【要約】【課題】  より多くの内容物を収容できる収容空間が形成される包装容器を提供する。【解決手段】  包装容器１は、菓子２９などの内容物を収容する収容空間４０と、これとは独立して設けられる収容空間３１とがその内部に設けられている。収容空間３１と内容物収容空間４０との間を隔てる隔離板として空間側面板２６および空間側面板２７、空間側面板２７に連設される連設板２８とを含んでいる。空間側面板２６および空間側面板２７と連設板２８のうち少なくとも１つがゴミ３０により内部から押圧され、収容空間３１の容積が増加される。【選択図】  図７
2006315730.tif 000002
【特許請求の範囲】
【請求項１】
内容物を収容する第一の収容空間と、前記第一の収容空間と隔離板により独立して設けられた第二の収容空間とがその内部に設けられる包装容器であって、
前記隔離板に連設される連設板とを含み、
前記隔離板と前記連設板のうち少なくとも一方が内部から押圧され、前記第一の収容空間または前記第二収容空間とのうちいずれかの容積を増加させることが可能な包装容器。
【請求項２】
請求項２に記載の包装容器であって、
前記連設板に連設された第二連設板とを含み、
前記第二連設板は、前記包装容器内面と接合される包装容器。
【請求項３】
請求項１または２に記載の包装容器であって、
前記隔離板と前記連設板とのうち少なくとも一方が折り曲げ可能とされる包装容器。
【請求項４】
請求項１から３のいずれか１つに記載の包装容器であって、
外箱と、前記外箱の内部に前記外箱と摺動可能な構造として配置される中箱とを有し、
前記第一の収容空間と第二の収容空間は、前記中箱に設けられる包装容器。
【発明の詳細な説明】
【技術分野】
【０００１】
本発明は、包装容器、特に内容物を収容する第一の収容空間と、前記第一の収容空間と隔離板により独立して設けられた第二の収容空間とがその内部に設けられる包装容器に関する。
【背景技術】
【０００２】
菓子などの内容物がその内部に包含される包装容器が知られている。例えば包装容器として、紙製包装容器が挙げられる。紙製包装容器には、下記特許文献１、下記特許文献２、下記特許文献３などに示されるように様々なものがあるが、外箱と、この外箱の内部にこの外箱から摺動可能な構造として配置される中箱と、を有する紙製中箱付き包装容器が下記特許文献４に報告されている。
【０００３】
菓子などの内容物は、前記中箱に入れられる。消費者が内容物を取り出したくなった場合には、前記外箱の取り出し口から中箱を取り出し口方向に摺動させて取り出すことで、消費者は中箱に入れられた菓子などの内容物を取り出すことができる。
【０００４】
特許文献４の紙製中箱付き包装容器は、内容物を収容する第一の収容空間と、これとは独立して設けられる第二の収容空間とがその内部に設けられている。第一の収容空間、第二の収容空間とのうちいずれかは、その内部に菓子などを包装していた包装紙などのゴミを、収容できることが開示されている。
【特許文献１】特開２００１−２０５６号公報
【特許文献２】特開２０００−２７２６１８号公報
【特許文献３】特開２００３−１７０９２９号公報
【特許文献４】特開２００４−２３１２９２号公報
【発明の開示】
【発明が解決しようとする課題】
【０００５】
しかしながら、上記特許文献４に記載されるゴミなどを収容する収容空間は、内部容積が一定の容積しかとれない構造をしており、ゴミが一定量を越えた場合など、収容できなくなる場合がある。特に食べ残しなどの包装紙に加えて包装紙以外のゴミが増え、全体のゴミが増大した場合はその傾向が大きい。
【０００６】
本発明は、上記課題に鑑みてなされたものであり、より多くの内容物を収容できる収容空間が形成される包装容器を提供することを主な目的とする。
【課題を解決するための手段】
【０００７】
本発明は、内容物を収容する第一の収容空間と、前記第一の収容空間と隔離板により独立して設けられた第二の収容空間とがその内部に設けられる包装容器であって、前記隔離板に連設される連設板とを含み、前記隔離板と前記連設板のうち少なくとも一方が内部から押圧され、前記第一の収容空間または前記第二収容空間とのうちいずれかの容積を増加させることが可能なことを特徴とする。
【０００８】
前記連設板に連設された第二連設板とを含み、前記第二連設板は、前記包装容器内面と接合されると好適である。
【０００９】
前記隔離板と前記連設板とのうち少なくとも一方が折り曲げ可能とされると好適である。
【００１０】
前記包装容器は、外箱と、前記外箱の内部に前記外箱と摺動可能な構造として配置される中箱とを有し、前記第一の収容空間と第二の収容空間は、前記中箱に設けられると好適である。
【発明の効果】
【００１１】
本発明によれば、より多くの内容物を収容できる収容空間が形成される包装容器を提供できる。
【発明を実施するための最良の形態】
【００１２】
以下、本発明の実施の形態を図面に基づいて説明する。なお、本実施形態については、本発明を実施するための一形態に過ぎず、本発明は本実施形態によって限定されるものではない。
【００１３】
「紙製包装容器」
図１には、本実施形態に係る包装容器として、紙製包装容器１の一実施形態が示されている。紙製包装容器１は、外箱２０と外箱２０内周部に挿入された菓子などの内容物を収容する容器としての中箱１０とから構成されている。
【００１４】
紙製包装容器１は、略直方体形状である。紙製包装容器１は六面のうち二面が開口した構造を有している。
【００１５】
これらは図２および図３に示される展開図の状態で、外箱２０の内寸および中箱１０の外寸は、中箱１０を円滑に摺動することができるように、対応して設定されている。紙製包装容器１は、少なくとも二面が開口した略四角筒形状の外箱２０における開口した面のうち右側面板１６の位置にある開口した面を中箱１０の主たる取り出し口としている。中箱１０は外箱２０とスライドさせ、取り出し口を引き出すことで中箱１０の内部の内容物を取り出すことができる。
【００１６】
外箱２０は、上面板１８の左側面板２２側に、円形孔である開口部３５を有している。本実施形態においては、後述のように中箱１０にも左側面板２２側に開口部３５と略同一形状・同一の面積の開口部３４（図４参照）を有している。
【００１７】
販売時などは、開口部３５は、開口部３４と長手方向に対応しない位置に設けられ、開口部３５を通して、中箱１０に収容された菓子の表面などを消費者は目視できる。消費者は、所望により、中箱１０をスライドさせ、開口部３５が開口部３４と長手方向に対応する位置に対応させることができる。開口部３４には、後述のように主に包装紙などのゴミ３０を収容する目的の収容空間３１が設けられており、消費者は開口部３５から開口部３４を通じてゴミ３０を収容空間３１へ押し込み、ゴミを収容させることができる。本実施形態では収容空間３１、後述の菓子などの内容物を収容する内容物収容空間４０とで第一の収容空間、第二の収容空間を形成している。
【００１８】
「中箱」
中箱１０は、コートボール、チップボール、段ボールなどの紙を図２に示す展開図にしたがって打ち抜き、図２の展開図の打ち抜き紙を折り目に沿って折り込み、所定部分を接着して組み立てられる。本実施形態において、以下述べる、折り目は折罫、ミシン罫、押し罫、リード罫、全切れ、半切れ等で構成されている。
【００１９】
図２の展開図について説明する。（以下、展開図において、紙面に開示されている方向を紙面側、その裏面を反対面側とする。）側面板１１の下端縁に底面板１２および側面板１３が折り目ａ，ｂを介して順に連設される。
【００２０】
底面板１２の右端縁に右側面板１６、空間上面板１７２、空間側面板１８および糊代１５が折り目ｅ，ｆ，ｇ，ｈを介して順に連設される。
【００２１】
底面板１２の左端縁に左側面板１４、空間上面板１７１、空間側面板２６、空間側面板２７、連設板２８、糊代１５が折り目ｃ，ｆ，ｊ，ｋ、ｌ、ｍを介して順に連設される。左端縁の空間上面板１７１は、後述の収容空間３１へのゴミ入れ口となる開口部３４を有している。空間側面板２６、空間側面板２７の大きさは連設板２８の大きさとほぼ等しい。
【００２２】
右側面板１６および左側面板１４の上端縁および下端縁には折り目ｉを介して糊代１９がそれぞれ連設されている。
【００２３】
次に、図２の展開図からの中箱１０の組み立て方法について説明する。最初に糊代１５の反対面側に接着剤を塗布する。接着剤としては、例えば、アクリル系接着剤、ゴム系接着剤、シリコーン系接着剤等の接着剤などが挙げられる。
【００２４】
全ての糊代１９を側面板１１および側面板１３に対して折り目ｉに沿って山折りして垂直に起立させる。
【００２５】
側面板１１および側面板１３を底面板１２に対してそれぞれ折り目ａ，ｂに沿って山折りして垂直に起立させる。
【００２６】
右端側、左端側ともに空間上面板１７１、１７２を折り目ｆに沿って山折りし、垂直に起立させる。右端側、左端側ともに空間側面板１８、空間側面板２６および空間側面板２７をそれぞれ折り目ｇ、ｊに沿って山折りして垂直起立させる。ここで、空間側面板２６および空間側面板２７との折り目ｋは、折らずに空間側面板２６および空間側面板２７とが同一面上となる状態で維持する。
【００２７】
右端側は、糊代１５を折り目ｈに沿って垂直に起立させることで谷折りし、糊代１５の反対面側を塗布された接着剤により底面板１２の反対面側に接着する。
【００２８】
左端側は、連設板２８を折り目ｌに沿って垂直に起立させることで谷折りし、糊代１５（第二連設板）の反対面側を塗布された接着剤により底面板１２の反対面側に接着する。ここで、連設板２８および糊代１５との折り目ｍは、折らずに連設板２８および糊代１５とが同一面上となる状態で維持する。この状態で連設板２８の反対面側は、底面板１２の反対面側と略当接された状態となる。
【００２９】
糊代１５の反対面側を塗布された接着剤により底面板１２の反対面側に接着した後、右側面板１６および左側面板１４を底面板１２に対してそれぞれ折り目ｅ、ｃに沿って山折りするように垂直起立させる。
【００３０】
次に、全ての糊代１９の紙面側に接着剤を塗布する。接着剤が塗布された糊代１９の紙面側と側面板１１および側面板１３の反対面側とが塗布された接着剤により接着して固定される。接着して、固定させることで折り目ｉを介して右側面板１６および左側面板１４が側面板１１および側面板１３の両板によって垂直起立状態を支持させる。垂直起立状態支持後、反対面側に返して上面が開口されたトレー形状の図４に記載される中箱１０が形成される。
【００３１】
図４では、主として中箱１０は、側面板１１、底面板１２、側面板１３、空間側面板１８、空間側面板２６および空間側面板２７によって形成される内部空間を有している。この内部空間は上方を開口されており、その上方開口を通して内容物である菓子２９を複数個、内部空間に収容する内容物収容空間４０である。
【００３２】
菓子２９は、スティク形状やブロック形状等のチョコレート、ガム、飴等やビスケット等の菓子類などが挙げられる。中箱１０は、菓子以外にも特に限定されることなく、内容物を収容する容器として使用でき、例えば日常品などの収容に用いると好適である。
【００３３】
図４に示されるように、中箱１０には、側面板１１、底面板１２、側面板１３、左側面板１４、空間上面板１７１、空間側面板２６および空間側面板２７に囲まれる左端部の内部空間３１が形成される。中箱１０は、紙製包装容器１となった場合に、左端部の内部空間３１の上部に空間上面板１７１の上部に開口部３４を設け、後述のようにその穴から菓子を包装していた包装紙などのゴミを内部空間３１にためる構造としている。
【００３４】
一方、中箱１０には、側面板１１、底面板１２、側面板１３、右側面板１６、空間上面板１７２、空間側面板１８に囲まれる右端部の内部空間３２が設けられる。内部空間３２は、特段設けなくてもよいが、設けた場合には、様々な用途に用いることができる。
【００３５】
本実施形態では紙製包装容器１の取り出し口に近い、右端部の内部空間３２は、紙製包装容器１とされた際に、消費者が空間上面板１７２を押圧して、潰される。内部空間３２が潰されたことで中箱１０を潰された箇所を引き出すことで中箱１０をスライドして引き出しやすくなる。なお、糊代１９は潰しやすさの観点から省略すると好適である。
【００３６】
「外箱」
外箱２０は、コートボール、チップボール、段ボールなどの紙を図３に示す展開図にしたがって打ち抜き、図３の展開図の打ち抜き紙を折り目に沿って折り込み、所定部分を接着して組み立てられる。
【００３７】
図３の展開図を説明する。底面板２１の下端縁に、側面板２２、上面板２３、側面板２４、糊代２５が順に折り目ｐ，ｑ，ｒ，ｓを介して連設されて構成されている。
【００３８】
上面板２３の右端縁には、略半六角形状の切り欠き部３３が設けられている。切り欠き部３３は、中箱１０が組み立てられた外箱２０の内部に挿入され紙製包装容器１が製造された時に、中箱１０の右端縁の空間上面板１７２を露出させる。これにより、消費者が指により直接的に中箱１０の右端縁の空間上面板１７２を押圧することができる。
【００３９】
上面板２３の左端縁には、中箱１０の開口部３４と対応した大きさ・面積の円形の孔である開口部３５が設けられている。
【００４０】
次に、外箱２０の組み立て方法について説明する。図３の展開図において、側面板２４に対して糊代２５を折り目ｓに沿って山折りし、糊代２５の紙面側に接着剤を塗布する。
【００４１】
次いで、上面板２３に対して側面板２２を折り目ｑに沿って山折りし、底面板２１の反対面を糊代２５の紙面側に接着する。
【００４２】
次いで、底面板２１に対して側面板２２を、底面板２１に接着された糊代２５に対して側面板２４をそれぞれ折り目ｐ，ｓに沿って山折りするように起立させる。反転させると左右両端が開口された略四角筒形状であって、貫通形状の図４に示される外箱２０が形成される。本実施形態では貫通形状としているが左端縁に側面板を設けた容器状の構造としてもよい。ここで、外箱２０の右端縁の開口部が取り出し口となり、この取り出し口を構成するのが底面板２１、側面板２２、上面板２３、側面板２４の右端縁である。
【００４３】
「紙製包装容器の製造方法」
図４に示されるように、上記のように組み立てられた外箱２０に、外箱２０の右端縁の開口、すなわち取り出し口を通して菓子２９が収容された中箱１０を挿入して、紙製包装容器１が製造される。紙製包装容器１は、包装用のプラスチックフィルムなどにさらに包装されてその密封性を明示した後、市場へと供給され、消費者の手に渡るのが一般的である。
【００４４】
「紙製包装容器の使用方法」
図１の状態の紙製包装容器１は、製造時から消費者が菓子を食したい時まで、包装用のプラスチックフィルムなどにさらに包装されてその密封性を明示して、小売店に供給され、購入した消費者に届けられる。
【００４５】
内容物の菓子２９を取り出して食することを目的に、消費者が菓子などを食する場合は、包装用のプラスチックフィルムを剥がすことにより、中箱１０が外箱２０の内周面に対して摺動可能となる。
【００４６】
摺動可能状態となった後、消費者は紙製包装容器１の取り出し口に近い、右端部の内部消費者が空間上面板１７２を切り欠き部３３を通して押圧する。この押圧により内部空間が潰され、中箱１０を潰された箇所を引き出すことでその全体を引き出すことができる。引き出された中箱１０の菓子２９を取り出した後は、中箱１０を再び外箱２０内に挿入することで紙製包装容器１をコンパクトにすることができる。
【００４７】
菓子２９は包み紙によって個別に包まれている。消費者は菓子２９の包み紙を剥がすことで菓子２９を食することができる。剥がした包み紙や菓子２９の食べ残しなどのゴミ３０は、外箱２０の開口部３４と中箱の開口部３５を対応させ、両開口部を通じて内部空間３１へ収容して一時的に捨てることができる。
【００４８】
この内部空間３１へ収容して一時的に捨てる本実施形態に係る態様について説明する。図５〜図８には、ゴミ３０を内部空間３１へ収容して一時的に捨てる本実施形態に係る態様についての説明図である。図５は、模式的に中箱１０のみを透視して見た場合の紙製包装容器１の斜視図である。図６〜図９は、図１および図５の斜視図におけるＸ−Ｘ’断面図の変化状況を示したものである。特に図６、図７の断面図は、それぞれ図１および図５の斜視図のＸ−Ｘ’断面図に対応したものである。
【００４９】
図６において、消費者は、ゴミ３０を開口部３５、開口部３４から収容空間３１へ押し込むことで一時的に捨てることができる。図６の状態の収容空間３１内が充填されるまで消費者は次々にゴミ３０を開口部３５、開口部３４から収容空間３１へ押し込むことで一時的に捨てることができる。
【００５０】
図１および図６のゴミ捨て態様について説明する。連設板２８は、底面板１２と一部当接された状態とされている。糊代１５は底面板１２と全面が接着されている。連設板２８は、底面板１２と一部当接された状態であるが、糊代１５のように接着され、接合された状態ではない。
【００５１】
空間側面板２６および空間側面板２７は同一面上で菓子が収容される内容物収容空間４０とゴミ３０が収容される収容空間３１との空間を二分して隔離する隔離板として機能している。連設板２８の左端上であって、空間側面板２６および空間側面板２７にその左端縁が当接されるように菓子２９が配置されている。なお、図６を含めて本願では模式的に菓子２９を一つ入れた状態で示しているが、販売時は複数個の菓子２９が中箱１０の内容物収容空間４０に充填されている。消費者が菓子２９を食することで、次第に内容物収容空間４０中に空間の隙間が生じる。
【００５２】
図６に示される状態の収容空間３１内が充填されると図５および図７に示される収容空間３１の容積拡大がなされ、収容空間３１内が充填された後であっても、消費者は、さらにゴミ３０をその内部に収容して、一時的に捨てることができる。さらに容積が拡大され、図８のように、連設板２８が直立するまで拡大させることができる。
【００５３】
収容空間３１の容積拡大について説明する。図６の状態で収容空間３１内にゴミ３０が充填されると、ゴミ３０は空間側面板２６および空間側面板２７を第一に内部から菓子２９が配置される内容物収容空間４０側に向かって押圧する。空間側面板２６および空間側面板２７は、押圧されると折り目ｋが屈曲させられながら、連設板２８を底面板１２から持ち上げる。ここで、空間側面板２６および空間側面板２７の境界線に折り目ｋが設けられているので柔軟に、収容空間３１を膨らませることができ、収容空間３１の容積拡大を柔軟に対処することができる。
【００５４】
さらにゴミ３０が充填されると、ゴミ３０は空間側面板２６および空間側面板２７、および前記持ち上げられた連設板２８を内部から菓子２９が配置される内容物収容空間４０側に向かって押圧する。
【００５５】
さらにゴミ３０が充填されると、ついには、連設板２８が折り目ｍを介して糊代１５に対して、折り目ｌを介して空間側面板２６および空間側面板２７に対してそれぞれ垂直に折り曲げられた状態となり、連設板２８が右側面板１４に略平行面となる状態で直立させられる。折り目ｊ、ｋは、折り曲げられた状態でなくなり、空間側面板２６および空間側面板２７は、空間上面板１７１と略同一平面上となる構成をとる。
【００５６】
菓子２９は、空間側面板２６および空間側面板２７、連設板２８を通じてゴミ３０により押圧され、さらに右方向に寄せられる。このようにして、菓子２９を食することで次第に生じていた隙間を減少させることができ、菓子２９の中箱１０内部への充填性の減少などをより防止することができる。
【００５７】
本実施形態では、図７の状態を経て図８の状態となることで、図６の状態から、連設板２８の面積と連設板２８の中箱１０における長手方向の長さ（右側面板１４の高さ）とを乗算したことにより求められる容積分、収容空間３１の容積を拡大させることができる。
【００５８】
上記実施形態からわかるように、本実施形態では、収容空間３１を拡大してゴミ３０をより多く収容することができる。
【００５９】
上記実施形態では、収容空間３１に収容されるものとして菓子の包装紙、食べ残し、包装容器を包んでいた包装プラスチックフィルムなどのゴミを例示したがこれに限られることがない。他のゴミは勿論、収容されるもの一般を内容物として選定できる。
【００６０】
上記実施形態では、外箱と中箱を備えた包装容器を例示したがこれに限られることがない。収容空間を備えた容器一般に適用できる。容器とは、複数の箱が組み合わされるものに限定されず、単一の箱構造、例えば本実施形態で例示すれば、外箱のみ、中箱のみの構造であってもよい。
【００６１】
上記実施形態では、好適であることから連設板は底面板と一部当接された状態であるがこれに限定されない。一部当接された状態でなく全部当接されていてもよく、あるいは全く当接されておらず、底面板との間に空間を有してもよい。
【００６２】
また、連設板は底面板と接着されていたとしても、糊代１５の接着力よりも小さい接着力であればよい。例えば、内容物によって、または消費者による押圧力によって剥がされて容積を増大させてもよいなどの理由からである。
【００６３】
上記実施形態では、好適であることから糊代を第二連設板として用いたがこれを用いなくてもよい場合がある。例えば、連設板の一端が底面板と接合されなどすればよい。また、例えば、内容物収容空間４０へ内容物を放出してもよいなどであれば、そもそも接合させる必要がない場合もある。この場合、第一の収容空間と第二の収容空間との境界面を取り払い、ゴミなどを収容する収容空間として内容物収容空間４０の容積を利用することもできる。
【００６４】
上記実施形態では、好適であることから接合することにより接着剤を用いた接着を用いているがこれに限られることがない。接合方法一般を用いることができる。
【００６５】
上記実施形態では、好適であることから連設板を収容空間３１側へ折り曲げているがこれに限られることがない。内容物収容空間４０側に折り曲げてもよい。殆ど当接された状態に限定されないことも上記と同様の理由である。
【００６６】
上記実施形態では、好適であることから折り目による折り曲げ構造を隔離板としての空間側面板に有しているがこれに限られることがない。折り曲げ構造を有さなくともよい。また、好適には、折り曲げ構造を連設板にも設けるとよい。折り曲げ構造を連設板に設け、隔離板に設けなくともよい。折り曲げ構造としては折り目の他、一般的な折り曲げ可能な構造を適用できる。折り曲げ構造は一つだけ設けることに限られず、複数個設けてもよい。
【００６７】
なお、本実施形態では開口部３４、開口部３５ともに円形孔とし、略同一形状としているがこれに限定されることはない。形状は開口部３４、開口部３５ともに円形でなくともよく開口形状一般を採用できる。また、開口部３４と比較して開口部３５が大きな開口部であってもよく、開口部３５と比較して開口部３４が大きな開口部であってもよい。開口部３４の大きさは収容されるものが通過可能な大きさ以上であればよく、開口部３５の大きさは収容されるものが通過可能な大きさ以上であればよい、開口部３５の大きさは菓子などの内容物が通過できない大きさ以下であると好適である。
【００６８】
例えば、図９には、開口部３４と比較して開口部３５が大きな開口部である紙製包装容器１が示される。図９（ａ）の斜視図で示される状態の紙製包装容器１において中箱１０を外箱２０に対して開口部３５を通して開口部３４が露出するまで引き出させると図９（ｂ）の上面図となる。ここで中箱１０の開口部３４周辺に開口部３４がゴミなどの収容されるものを収容できる旨の明示（図面では「ゴミ入れ」という表記）をすると好適である。
【００６９】
本実施形態では、紙製包装容器は、中箱１０の左側面板１４が左側面を、密封状態表示板２６が右側面を形成した直方体形状となっているが、これに限られるものではない。立方体形状は勿論、他の三次元立体、例えば、三角柱状形状、八面体など多面体、底面板および上面板が矩形、台形、四角形、五角形、六角形、八角形、十角形の紙製包装容器にも適用できる。
【００７０】
本実施形態では、紙製包装容器を例示したが紙製に限定されるものではない。紙を用いる場合は、例えば、コートボール紙、カートン紙、カップ原紙、ダンボール紙、板紙等（再生紙を含む）、カード紙等の通常の紙器加工に用いられる材料を使用できる。紙の厚さは、特に限定されないが、強度の高い紙を用いることが好ましい。また、プラスチック材、木材、などの異なる材料から包装容器が作製されてもよい。
【００７１】
プラスチック材であれば、熱可塑性樹脂、熱硬化性樹脂、生分解性プラスチック一般（例えばポリ乳酸を含有するプラスチック）、ポリエステル、ポリプロピレン、セロファン、ポリカーボネート、酢酸セルロース、ポリエチレン、ポリ塩化ビニル、ポリスチレン、ポリアミド、ポリイミド、ポリ塩化ビニリデン、ポリビニルアルコール、エチレン・酢酸ビニル共重合体けん化物、フッ素樹脂、塩化ゴム、アイオノマー、エチレン・アクリル酸共重合体、エチレン・アクリル酸エステル共重合体、等のプラスチックのフィルム、コンデンサー紙、パラフィン紙、不織布、アルミニウム箔や、これらを複合したフィルムを用いてもよい。
【図面の簡単な説明】
【００７２】
【図１】本実施形態における包装容器を示す斜視図である。
【図２】本実施形態における中箱の展開図である。
【図３】本実施形態における外箱の展開図である。
【図４】本実施形態における包装容器の製造方法を説明する斜視図である。
【図５】本実施形態における包装容器の容積拡大を説明する斜視図である。
【図６】本実施形態における包装容器の容積拡大を説明する断面図である。
【図７】本実施形態における包装容器の容積拡大を説明する断面図である。
【図８】本実施形態における包装容器の容積拡大を説明する断面図である。
【図９】本実施形態における別の実施態様を説明する説明図である。
【符号の説明】
【００７３】
１  紙製包装容器
１０  中箱
２０  外箱
【図１】
2006315730.tif 000003
【図２】
2006315730.tif 000004
【図３】
2006315730.tif 000005
【図４】
2006315730.tif 000006
【図５】
2006315730.tif 000007
【図６】
2006315730.tif 000008
【図７】
2006315730.tif 000009
【図８】
2006315730.tif 000010
【図９】
2006315730.tif 000011